(57)【要約】【課題】複数の画面情報を確認する場合、その確認実行の優先度を容易に判断することができる医用情報表示装置及び医用情報表示システムを提供する。【解決手段】実施形態に係る医用情報表示装置３は、複数の医用画像撮像装置２の個々の画面情報をそれぞれ表示する表示部３ｃと、画面情報に対する利用者の入力操作の操作情報を操作対象となった画面情報に対応する医用画像撮像装置２に送信する送受信部３ａと、各医用画像撮像装置２のうち確認依頼元の医用画像撮像装置２から送られてきた確認依頼の優先度に応じて、確認依頼元の医用画像撮像装置２の画面情報に対する注意を利用者に促すための表示方法を決定し、決定した表示方法に基づく表示を表示部３ｃに実行させる表示方法制御部３ｄとを備える。【選択図】図１
2014106668.tif 000002
【特許請求の範囲】
【請求項１】
複数の医用画像撮像装置の個々の画面情報をそれぞれ表示する表示部と、
前記画面情報に対する利用者の入力操作の操作情報を操作対象となった画面情報に対応する医用画像撮像装置に送信する送信部と、
前記複数の医用画像撮像装置のうち確認依頼元の医用画像撮像装置から送られてきた確認依頼の優先度に応じて、前記確認依頼元の医用画像撮像装置の画面情報に対する注意を前記利用者に促すための表示方法を決定し、決定した前記表示方法に基づく表示を前記表示部に実行させる制御部と、
を備えることを特徴とする医用情報表示装置。
【請求項２】
複数の医用画像撮像装置の個々の画面情報をそれぞれ表示する表示部と、
前記画面情報に対する利用者の入力操作の操作情報を操作対象となった画面情報に対応する医用画像撮像装置に送信する送信部と、
前記複数の医用画像撮像装置のうち確認依頼元の医用画像撮像装置の画面情報に基づいて確認依頼の優先度を決定する優先度決定部と、
前記優先度決定部により決定された確認依頼の優先度に応じて、前記確認依頼元の医用画像撮像装置の画面情報に対する注意を前記利用者に促すための表示方法を決定し、決定した前記表示方法に基づく表示を前記表示部に実行させる制御部と、
を備えることを特徴とする医用情報表示装置。
【請求項３】
前記確認依頼元の医用画像撮像装置の画面情報に対する前記利用者の入力操作の有無を監視する操作監視部をさらに備え、
前記送信部は、前記操作監視部により前記利用者の入力操作が無いと判断された場合、前記医用画像撮像装置に前記利用者の操作未実行の通知を送信することを特徴とする請求項１又は請求項２に記載の医用情報表示装置。
【請求項４】
画面情報及び確認依頼の優先度をそれぞれ送信する複数の医用画像撮像装置と、
前記複数の医用画像撮像装置の個々の画面情報をそれぞれ表示する表示部と、前記画面情報に対する利用者の入力操作の操作情報を操作対象となった画面情報に対応する医用画像撮像装置に送信する送信部と、前記複数の医用画像撮像装置のうち確認依頼元の医用画像撮像装置から送られてきた確認依頼の優先度に応じて、前記確認依頼元の医用画像撮像装置の画面情報に対する注意を前記利用者に促すための表示方法を決定し、決定した前記表示方法に基づく表示を前記表示部に実行させる制御部とを具備する医用情報表示装置と、
を備えることを特徴とする医用情報表示システム。
【請求項５】
画面情報をそれぞれ送信する複数の医用画像撮像装置と、
前記複数の医用画像撮像装置の個々の画面情報をそれぞれ表示する表示部と、前記画面情報に対する利用者の入力操作の操作情報を操作対象となった画面情報に対応する医用画像撮像装置に送信する送信部と、前記複数の医用画像撮像装置のうち確認依頼元の医用画像撮像装置の画面情報に基づいて確認依頼の優先度を決定する優先度決定部と、前記優先度決定部により決定された確認依頼の優先度に応じて、前記確認依頼元の医用画像撮像装置の画面情報に対する注意を前記利用者に促すための表示方法を決定し、決定した前記表示方法に基づく表示を前記表示部に実行させる制御部とを具備する医用情報表示装置と、
を備えることを特徴とする医用情報表示システム。
【請求項６】
前記医用情報表示装置は、前記確認依頼元の医用画像撮像装置の画面情報に対する前記利用者の入力操作の有無を監視する操作監視部をさらに具備し、
前記送信部は、前記操作監視部により前記利用者の入力操作が無いと判断された場合、前記医用画像撮像装置に前記利用者の操作未実行の通知を送信することを特徴とする請求項４又は請求項５に記載の医用情報表示システム。
【請求項７】
前記医用画像撮像装置は、
前記送信部により送信された前記利用者の操作未実行の通知を受信する受信部と、
前記受信部により前記利用者の操作未実行の通知が受信された場合、前記利用者の操作未実行を操作者に通知する操作通知部と、
を具備することを特徴とする請求項６に記載の医用情報表示システム。
【発明の詳細な説明】
【技術分野】
【０００１】
本発明の実施形態は、医用情報表示装置及び医用情報表示システムに関する。
【背景技術】
【０００２】
近年、医用情報表示システムにシンクライアントシステムが用いられている。このシンクライアントシステムでは、ユーザ（利用者）が使用するクライアント端末（医用情報表示装置）に必要最小限の処理のみを実行させ、ほとんどの処理をサーバ側に集中させている。クライアント端末は、サーバに接続するための最小限のネットワーク機能やユーザが入出力を行うための入力インターフェースなどを装備していれば良い。前述のサーバとしては、医用画像撮像装置が挙げられる。この医用画像撮像装置は、被検体内部の情報を収集し、収集した情報に基づいて被検体内部を画像化して医用画像を生成する装置である。なお、医用画像撮像装置としては、例えば、Ｘ線コンピュータ断層撮像装置（Ｘ線ＣＴ装置）や磁気共鳴診断装置（ＭＲＩ装置）などを用いることが可能である。
【０００３】
このようなシンクライアントの環境が進むと、遠隔診断などにより一つの表示画面上で複数の医用画像撮像装置の個々の画面、すなわちウインドウ画面を操作する場面が増えてくる。このため、遠隔操作者であるユーザ側の表示画面において、優先して確認すべきウインドウ画面がわからないという状況が発生してしまう。例えば、ＭＲＩ装置では、患者を撮像して生成された画像によって次の撮像のための撮像パラメータや撮像方法などを変更する場合があるため、ユーザはその装置のウインドウ画面の確認を優先的に行う必要がある。また、患者が装置に入っている状態の遠隔診断においては、その装置のウインドウ画面の確認を優先的に行う必要がある。
【０００４】
通常、医用情報表示システムでは、何かイベントが発生したとき、タスクバー（タスクバー内のアイコンなど）が光る。例えば、ネットワークが切れたらタスクバーが光ったり、また、ファイルの削除ができなかったら光ったりする。ところが、全てのイベントに対して一意にタスクバーが光るため、ユーザはそのイベントが気にすべきイベントであるのかどうかを判断することができない。このため、タスクバーの点灯によってどの装置のウインドウ画面（画面情報）から確認を行うべきか、すなわち、複数の画面情報を確認する場合にその確認実行の優先度を判断することは困難である。
【先行技術文献】
【特許文献】
【０００５】
【特許文献１】特開２０１０−１６５２６０号公報
【発明の概要】
【発明が解決しようとする課題】
【０００６】
本発明が解決しようとする課題は、複数の画面情報を確認する場合、その確認実行の優先度を容易に判断することができる医用情報表示装置及び医用情報表示システムを提供することである。
【課題を解決するための手段】
【０００７】
実施形態に係る医用情報表示装置は、複数の医用画像撮像装置の個々の画面情報をそれぞれ表示する表示部と、画面情報に対する利用者の入力操作の操作情報を操作対象となった画面情報に対応する医用画像撮像装置に送信する送信部と、複数の医用画像撮像装置のうち確認依頼元の医用画像撮像装置から送られてきた確認依頼の優先度に応じて、確認依頼元の医用画像撮像装置の画面情報に対する注意を利用者に促すための表示方法を決定し、決定した表示方法に基づく表示を表示部に実行させる制御部とを備える。
【０００８】
実施形態に係る医用情報表示装置は、複数の医用画像撮像装置の個々の画面情報をそれぞれ表示する表示部と、画面情報に対する利用者の入力操作の操作情報を操作対象となった画面情報に対応する医用画像撮像装置に送信する送信部と、複数の医用画像撮像装置のうち確認依頼元の医用画像撮像装置の画面情報に基づいて確認依頼の優先度を決定する優先度決定部と、優先度決定部により決定された確認依頼の優先度に応じて、確認依頼元の医用画像撮像装置の画面情報に対する注意を利用者に促すための表示方法を決定し、決定した表示方法に基づく表示を表示部に実行させる制御部とを備える。
【０００９】
実施形態に係る医用情報表示システムは、画面情報及び確認依頼の優先度をそれぞれ送信する複数の医用画像撮像装置と、複数の医用画像撮像装置の個々の画面情報をそれぞれ表示する表示部と、画面情報に対する利用者の入力操作の操作情報を操作対象となった画面情報に対応する医用画像撮像装置に送信する送信部と、複数の医用画像撮像装置のうち確認依頼元の医用画像撮像装置から送られてきた確認依頼の優先度に応じて、確認依頼元の医用画像撮像装置の画面情報に対する注意を利用者に促すための表示方法を決定し、決定した表示方法に基づく表示を表示部に実行させる制御部とを具備する医用情報表示装置とを備える。
【００１０】
実施形態に係る医用情報表示システムは、画面情報をそれぞれ送信する複数の医用画像撮像装置と、複数の医用画像撮像装置の個々の画面情報をそれぞれ表示する表示部と、画面情報に対する利用者の入力操作の操作情報を操作対象となった画面情報に対応する医用画像撮像装置に送信する送信部と、複数の医用画像撮像装置のうち確認依頼元の医用画像撮像装置の画面情報に基づいて確認依頼の優先度を決定する優先度決定部と、優先度決定部により決定された確認依頼の優先度に応じて、確認依頼元の医用画像撮像装置の画面情報に対する注意を利用者に促すための表示方法を決定し、決定した表示方法に基づく表示を表示部に実行させる制御部とを具備する医用情報表示装置とを備える。
【図面の簡単な説明】
【００１１】
【図１】第１の実施形態に係る医用情報表示システムの概略構成を示すブロック図である。
【図２】第１の実施形態に係る複数のウインドウ画面の表示例を示す図である。
【図３】第１の実施形態に係る医用情報表示処理の流れを示すフローチャートである。
【図４】第２の実施形態に係る医用情報表示システムの概略構成を示すブロック図である。
【図５】第２の実施形態に係るウインドウ画面の一例を示す図である。
【図６】第２の実施形態に係る医用情報表示処理の流れを示すフローチャートである。
【図７】第３の実施形態に係る医用情報表示システムの概略構成を示すブロック図である。
【図８】第３の実施形態に係る未操作通知のウインドウ画面の一例を示す図である。
【図９】第３の実施形態に係る医用情報表示処理の流れを示すフローチャートである。
【発明を実施するための形態】
【００１２】
（第１の実施形態）
第１の実施形態について図１乃至図３を参照して説明する。
【００１３】
図１に示すように、第１の実施形態に係る医用情報表示システム（シンクライアントシステム）１は、サーバ側となる複数台の医用画像撮像装置２と、クライアント端末側となる一台の医用情報表示装置３とを備えている。これらの医用画像撮像装置２及び医用情報表示装置３は、ＬＡＮ（ローカルエリアネットワーク）やＷＡＮ（ワイドエリアネットワーク）などのネットワーク（有線や無線の通信網）４により通信可能に接続されている。なお、医用画像撮像装置２としては、装置Ａ、装置Ｂ、装置Ｃ及び装置Ｄというように複数台が設けられている。
【００１４】
各医用画像撮像装置２は、医用画像を撮像する撮像部２ａと、撮像した医用画像を保管する画像保管部２ｂと、各種情報を送受信する送受信部２ｃと、操作者からの入力操作を受け付ける入力部２ｄと、各種情報を表示する表示部２ｅと、確認依頼を行う確認依頼部２ｆと、確認依頼の優先度を決定する優先度決定部２ｇとをそれぞれ具備している。これらの医用画像撮像装置２としては、例えば、Ｘ線コンピュータ断層撮像装置（Ｘ線ＣＴ装置）や磁気共鳴診断装置（ＭＲＩ装置）などを用いることが可能である。
【００１５】
撮像部２ａは、被検体が横たわる寝台や筐体となる架台（いずれも図示せず）などを有しており、寝台上の被検体に対して被検体内部の情報を収集する撮像を行う。なお、例えば、医用画像撮像装置２がＸ線ＣＴ装置である場合には、撮像部２ａはＸ線による撮像を行う装置であり、医用画像撮像装置２がＭＲＩ装置である場合には、撮像部２ａは磁気共鳴による撮像を行う装置である。
【００１６】
画像保管部２ｂは、撮像部２ａにより撮像された医用画像やその医用画像に係る情報などを記憶する記憶装置である。この画像保管部２ｂとしては、例えば、大容量のＨＤＤ（ハードディスクドライブ）やＳＳＤ（ソリッドステートドライブ）などを用いることが可能である。なお、この画像保管部２ｂは装置内ではなく外部装置としてネットワーク４に接続されて用いられても良い。
【００１７】
送受信部２ｃは、無線や有線のネットワーク４を介して、例えば、画面転送プロトコルなどの各種の通信プロトコルに基づいて外部装置、すなわち医用情報表示装置３との通信を行う。
【００１８】
入力部２ｄは、操作者（例えば、検査技師など）により入力操作される操作部であり、確認依頼を指示するための入力操作など、様々な入力操作を受け付ける。この入力部２ｄとしては、例えば、ボタンやキーボード、マウス、ＧＵＩ（グラフィックユーザインターフェース）などの入力デバイスを用いることが可能である。
【００１９】
表示部２ｅは、画面情報などの各種画像を表示する表示装置である。この表示部２ｅとしては、例えば、液晶ディスプレイや有機ＥＬ（エレクトロルミネッセンス）ディスプレイなどを用いることが可能である。なお、画面情報は、医用画像などの画像情報や各種の文字情報などを含んでいる。
【００２０】
確認依頼部２ｆは、入力部２ｄに対する操作者の入力操作に応じて確認依頼処理を開始する。この確認依頼処理は、確認依頼の優先度を決定する優先度決定処理と、画面情報及び確認依頼の優先度を送信する送信処理とを含んでいる。なお、確認依頼とは、画面情報に対する読影や修正などの確認作業をユーザ（例えば、読影医や医師などの遠隔操作者）、すなわちクライアント側の医用情報表示装置３に依頼することである。
【００２１】
優先度決定部２ｇは、確認依頼部２ｆからの指示に応じて確認依頼の優先度を決定する優先度決定処理を行う。この優先度決定部２ｇは、確認依頼の優先度を決定するための優先度決定情報を記憶しており、その優先度決定情報に基づき、自身の装置で発生している状況（種類）に応じて確認依頼の優先度を決定する。
【００２２】
ここで、優先度決定情報は、例えば、状況ごとに優先度（数字が小さい方が優先度が高い）が設定されているファイル（一覧表）である。一例として、状況が「患者が装置にいる状態でＰｌａｎ位置や撮像条件が正しいかを確認して欲しい」という状況である場合には、優先度が「１」に設定されており、状況が「患者が装置にいないが画像を読影して欲しい」という状況である場合には、優先度が「３」に設定されている。このため、入力部２ｄに対する操作者の入力操作あるいは装置情報によって、現在の状況が「患者が装置にいる状態でＰｌａｎ位置や撮像条件が正しいかを確認して欲しい」という状況であると特定された場合、優先度は「１」に決定され、「患者が装置にいないが画像を読影して欲しい」という状況であると特定された場合には、優先度は「３」に決定される。
【００２３】
なお、前述のような状況以外にも、緊急度が高い検査などの情報に基づいて確認依頼の優先度が設定されても良い。例えば、脳梗塞で血栓溶解療法が必要であるか否かの読影（検査）と、それ以外の読影（検査）とでは、脳梗塞で血栓溶解療法が必要であるか否かの読影（検査）の方の優先度が高く設定される。また、患者が緊急の患者であるか否かでは、緊急の患者の方の優先度が高く設定される。このように各状況に応じてそれぞれの確認依頼の優先度が設定され、優先度決定情報（一覧表）として記憶される。
【００２４】
ここで、前述の確認依頼部２ｆや優先度決定部２ｇは、電気回路などのハードウエアにより構成されても良く、また、各機能を実行するプログラムなどのソフトウエアにより構成されても良く、あるいは、それらの両方の組合せにより構成されても良い。
【００２５】
医用情報表示装置３は、各種情報を送受信する送受信部３ａと、クライアントであるユーザからの入力操作を受け付ける入力部３ｂと、各種情報を表示する表示部３ｃと、その各種情報の表示方法を制御する表示方法制御部３ｄとを具備している。
【００２６】
送受信部３ａは、無線や有線のネットワーク４を介して、例えば、画面転送プロトコルなどの各種の通信プロトコルに基づいて外部装置、すなわち各医用画像撮像装置２との通信を行う。
【００２７】
入力部３ｂは、ユーザ（例えば、読影医や医師などの遠隔操作者）により入力操作される操作部であり、読影や修正などの確認作業を行うための入力操作など、様々な入力操作を受け付ける。この入力部３ｂとしては、例えば、ボタンやキーボード、マウス、ＧＵＩ（グラフィックユーザインターフェース）などの入力デバイスを用いることが可能である。
【００２８】
表示部３ｃは、画面情報などの各種画像を表示する表示装置である。この表示部３ｃとしては、例えば、液晶ディスプレイや有機ＥＬ（エレクトロルミネッセンス）ディスプレイなどを用いることが可能である。
【００２９】
表示方法制御部３ｄは、確認依頼元の医用画像撮像装置２から送られてきた画面情報及び確認依頼の優先度に基づいて、その画面情報に対する注意をユーザに促すための表示方法（表示態様）を決定し、決定した表示方法に基づく表示を表示部３ｃに実行させる制御部である。この表示方法制御部３ｄは、表示方法を決定するための表示方法決定情報を記憶しており、その表示方法決定情報に基づき、送られてきた確認依頼の優先度に応じて表示方法を決定する。
【００３０】
ここで、表示方法決定情報は、例えば、確認依頼の優先度（数字が小さい方が優先度が高い）ごとに表示方法が設定されているファイル（一覧表）である。一例として、確認依頼の優先度が「１」である場合には、その確認依頼を出した医用画像撮像装置２のウインドウ画面（画面情報）を他の装置のウインドウ画面よりも強制的に一番前に表示する第１の表示方法が設定されている。また、確認依頼の優先度が「３」である場合には、その確認依頼を出した医用画像撮像装置２のウインドウ画面（画面情報）をアクティブ（入力を受け付ける状態）にするボタン（例えば、タスクバー内の起動中のアプリケーションを示すアイコン）を目立たせる、例えば、点滅させたり、色を変えたりする第２の表示方法が設定されている。
【００３１】
このため、医用画像撮像装置２である装置Ａから送られてきた確認依頼の優先度が「１」である場合には、前述の第１の表示方法が選択され、図２に示すように、装置Ａのウインドウ画面（画面情報）Ｇ１が他の装置Ｂや装置Ｃ、装置Ｄの各ウインドウ画面よりも強制的に一番前に表示される。これにより、ユーザはこれから確認を行おうとしていた場合、あるいは、装置Ｂのウインドウ画面Ｇ２を確認（読影や修正など）していた場合など、装置Ａのウインドウ画面Ｇ１を他のウインドウ画面より先に確認する必要があることを認識することができる。
【００３２】
なお、前述の表示の際、装置Ａのウインドウ画面Ｇ１は装置Ｂのウインドウ画面Ｇ２のうち個々の医用画像（断層像）Ｇ２ａや撮像条件の表示部分に重ならないように、例えば、表示画面の左上に縮小サイズで表示される。これにより、確認依頼の優先度が高い装置Ａのウインドウ画面Ｇ１が表示されても、ユーザは確認途中であった装置Ｂのウインドウ画面Ｇ２の医用画像Ｇ２ａや撮像条件の確認を続け、その確認のきりが良いところで、優先度が高い装置Ａのウインドウ画面Ｇ１の確認を開始することができる。
【００３３】
また、医用画像撮像装置２である装置Ｃから送られてきた確認依頼の優先度が「３」である場合には、前述の第２の表示方法が選択され、図２に示すように、その装置Ｃのウインドウ画面をアクティブにするボタンＢ１が点滅されたり、あるいは、その色が変えられたりする。これにより、ユーザは確認途中であった装置Ｂのウインドウ画面Ｇ２（優先度は「２」である）の医用画像（断層像）Ｇ２ａや撮像条件などの確認を続け、その確認後、装置Ｄより優先度が高い装置Ｃのウインドウ画面を確認すれば良いことを認識することができる。
【００３４】
ここで、表示方法としては、前述に例示した表示方法以外にも、様々な表示方法を用いることが可能であり、確認対象の画面情報への注意をユーザに促すための表示方法を用いることが重要である。この表示方法に基づく表示によって、ユーザは確認実行の優先度を視認することが可能となるため、複数のウインドウ画面をどのような順番で確認するかなどを容易に把握することができる。
【００３５】
なお、前述の表示方法制御部３ｄは、電気回路などのハードウエアにより構成されても良く、また、各機能を実行するプログラムなどのソフトウエアにより構成されても良く、あるいは、それらの両方の組合せにより構成されても良い。
【００３６】
次に、前述の医用情報表示システム１が行う医用情報表示処理について説明する。
【００３７】
図３に示すように、複数台のうち確認依頼元の医用画像撮像装置２では、入力部２ｄに対する操作者（例えば、検査技師など）の入力操作に応じて、確認依頼処理が確認依頼部２ｆにより実行される（ステップＳ１）。まず、その確認依頼処理に対応する確認依頼の優先度が前述の優先度決定部２ｇにより決定される（ステップＳ２）。その後、確認依頼対象の画面情報及び決定された確認依頼の優先度が送受信部２ｃによりクライアント端末である医用情報表示装置３に送信される（ステップＳ３）。このようなユーザ（クライアント）に対する確認依頼は、医用画像撮像装置２ごとに必要に応じて行われる。
【００３８】
次に、医用情報表示装置３では、確認依頼元の医用画像撮像装置２から送信された画面情報及び確認依頼の優先度が送受信部３ａにより受信され（ステップＳ４）、その確認依頼の優先度に基づいて確認対象の画面情報に対する注意をユーザに促すための表示方法が前述の表示方法制御部３ｄにより決定される（ステップＳ５）。その後、決定された表示方法に基づいた表示部３ｃによる表示によって、ユーザの注意が確認対象の画面情報に向けられる（ステップＳ６）。その後、ユーザが画面情報に対する確認作業を行い、その確認完了後に、確認完了通知が送信される（ステップＳ７）。なお、ユーザによる確認作業に応じて、その操作情報（ユーザの入力操作に関する入力情報）は医用情報表示装置３から医用画像撮像装置２に送信される。
【００３９】
前述のユーザによる確認作業は、確認依頼元の依頼内容に応じて実行される。例えば、確認依頼内容がＰｌａｎ位置や撮像条件確認依頼であった場合には、ユーザは入力部３ｂを入力操作し、Ｐｌａｎ位置の修正や撮像パラメータの修正を行って（操作情報の送信）、その後、確認依頼元の医用画像撮像装置２に確認作業の完了を通知する（作業完了通知の送信）。また、確認依頼内容が読影依頼であった場合には、ユーザは入力部３ｂを入力操作し、必要に応じてコメントなどを作成し（操作情報の送信）、その後、確認依頼元の医用画像撮像装置２に確認作業の完了を通知する（作業完了通知の送信）。
【００４０】
最後に、確認依頼元の医用画像撮像装置２では、医用情報表示装置３から送信された確認完了通知が送受信部２ｃにより受信される（ステップＳ８）。この確認完了通知の受信によって、医用画像撮像装置２は確認作業が完了したことを把握する。なお、医用画像撮像装置２は、医用情報表示装置３から送信された操作情報に基づいて、表示部２ｅにより表示されているウインドウ画面の変更や修正などの処理を自動的に行う。
【００４１】
このような医用情報表示処理によれば、各装置Ａ、Ｂ、Ｃ及びＤで発生している状況（種類）、すなわち確認依頼の優先度に応じて、クライアントであるユーザ（例えば、読影医や医師などの遠隔操作者）へ注意を促す表示方法を変更することが可能である。これにより、ユーザは、複数の装置Ａ、Ｂ、Ｃ及びＤから確認依頼があった際に、どの装置のウインドウ画面から確認を行うべきかを容易に判断することができるようになる。
【００４２】
以上説明したように、第１の実施形態によれば、医用画像撮像装置２から送られてきた確認依頼の優先度に応じて、その医用画像撮像装置２から送られてきた画面情報に対する注意をユーザに促すための表示方法を決定し、その決定した表示方法に基づく表示によって確認対象の画面情報に対する注意をユーザに促す。これにより、ユーザは複数の画面情報（ウインドウ画面）のうちどの画面情報から確認を行うべきかを視認することが可能となるので、複数の画面情報を確認する場合にその確認実行の優先度を容易に判断することができる。
【００４３】
（第２の実施形態）
第２の実施形態について図４乃至図６を参照して説明する。なお、第２の実施形態では、第１の実施形態との相違点について説明し、第１の実施形態で説明した部分と同一部分は同一符号で示し、その説明も省略する。
【００４４】
図４に示すように、第２の実施形態に係る医用画像撮像装置２は、第１の実施形態に係る優先度決定部２ｇを具備せず、その他の撮像部２ａ、画像保管部２ｂ、送受信部２ｃ、入力部２ｄ、表示部２ｅ及び確認依頼部２ｆを備えている。また、第２の実施形態に係る医用情報表示装置３は、第１の実施形態に係る送受信部３ａ、入力部３ｂ、表示部３ｃ及び表示方法制御部３ｄに加え、優先度決定部３ｅを備えている。
【００４５】
優先度決定部３ｅは、確認依頼元の医用画像撮像装置２から送信された画面情報を用いて、その画面情報から、確認依頼元の医用画像撮像装置２で発生している状況（種類）を特定する。この優先度決定部３ｅは、確認依頼の優先度を決定するための優先度決定情報を記憶しており、その優先度決定情報と特定した状況とに基づき、確認依頼の優先度を決定する。なお、優先度決定情報は、第１の実施形態と同様に、例えば、状況ごとに優先度（数字が小さい方が優先度が高い）が設定されているファイル（一覧表）である。
【００４６】
ここで、図５に示すように、画面情報の一例としてウインドウ画面Ｇ２では、患者が緊急患者であるか否かを示す文字情報ａ１があり、この文字情報ａ１の有無によって、優先度決定部３ｅは患者が緊急患者であるか否かを特定する。また、患者が装置内に入っていることを示す点灯情報ａ２（患者が装置内に入っている場合、点灯する）と、患者が装置内に入っていないことを示す点灯情報ａ３（患者が装置内に入っていない場合、点灯する）とがあり、これらの点灯情報ａ２及びａ３によって、優先度決定部３ｅは患者が装置内に入っているか否かを特定する。その後、優先度決定部３ｅは、前述のように特定した状況を用いて、優先度決定情報から確認依頼の優先度を選択して決定する。
【００４７】
例えば、優先度決定情報として、患者が緊急患者である状況の優先度は「１」に設定されており、患者が装置内に入っている状況の優先度は「２」に設定されており、患者が装置内に入っていない状況の優先度は「３」に設定されている場合には、図５に示すウインドウ画面Ｇ２の点灯情報ａ２が検出されると、確認依頼元の医用画像撮像装置２の状況は患者が装置内に入っている状況であると特定され、その確認依頼の優先度は「２」に決定される。
【００４８】
ここで、画面情報のキーとしては、前述に例示した情報以外にも、起動している臨床アプリケーション情報をキーに確認依頼の優先度を付けるようにしても良い。また、左上には、患者情報が記載されているので、患者ＩＤ（識別符号）が緊急の患者かどうかの情報をキーに確認依頼の優先度を付けるようにしても良い。
【００４９】
なお、前述の優先度決定部３ｅは、第１の実施形態と同じように、電気回路などのハードウエアにより構成されても良く、また、各機能を実行するプログラムなどのソフトウエアにより構成されても良く、あるいは、それらの両方の組合せにより構成されても良い。
【００５０】
次に、前述の医用情報表示システム１が行う医用情報表示処理について説明する。
【００５１】
図６に示すように、複数台のうち確認依頼元の医用画像撮像装置２では、入力部２ｄに対する操作者（例えば、検査技師など）の入力操作に応じて、確認依頼処理が確認依頼部２ｆにより実行される（ステップＳ１１）。その確認依頼処理に対応し、確認依頼対象の画面情報が送受信部２ｃによりクライアント端末である医用情報表示装置３に送信される（ステップＳ１２）。このようなユーザ（クライアント）に対する確認依頼は、医用画像撮像装置２ごとに必要に応じて行われる。
【００５２】
次に、医用情報表示装置３では、確認依頼元の医用画像撮像装置２から送信された画面情報が送受信部３ａにより受信され（ステップＳ１３）、まず、画面情報に基づいて確認依頼の優先度が前述の優先度決定部３ｅにより決定される（ステップＳ１４）。その後、その確認依頼の優先度に基づいて確認対象の画面情報に対する注意をユーザに促すための表示方法が前述の表示方法制御部３ｄにより決定される（ステップＳ１５）。その後、決定された表示方法に基づいた表示部３ｃによる表示によって、ユーザの注意が確認対象の画面情報に向けられる（ステップＳ１６）。その後、ユーザが画面情報に対する確認作業を行い、その確認完了後に、確認完了通知が送信される（ステップＳ１７）。なお、ユーザによる確認作業に応じて、その操作情報（ユーザの入力操作に関する入力情報）は医用情報表示装置３から医用画像撮像装置２に送信される。
【００５３】
最後に、確認依頼元の医用画像撮像装置２では、医用情報表示装置３から送信された確認完了通知が送受信部２ｃにより受信される（ステップＳ１８）。この確認完了通知の受信によって、医用画像撮像装置２は確認作業が完了したことを把握する。なお、医用画像撮像装置２は、医用情報表示装置３から送信された操作情報に基づいて、表示部２ｅにより表示されているウインドウ画面の変更や修正などの処理を自動的に行う。
【００５４】
このような医用情報表示処理によれば、前述の第１の実施形態と同様、各装置Ａ、Ｂ、Ｃ及びＤで発生している状況（種類）、すなわち確認依頼の優先度に応じて、クライアントであるユーザ（例えば、読影医や医師などの遠隔操作者）へ注意を促す表示方法を変更することが可能である。これにより、ユーザは、複数の装置Ａ、Ｂ、Ｃ及びＤから確認依頼があった際に、どの装置のウインドウ画面から確認を行うべきかを容易に判断することができるようになる。また、患者が装置内に入っているか否かなどの状況をウインドウ画面から自動で判別することが可能となるので、各装置Ａ、Ｂ、Ｃ及びＤからユーザに確認依頼が来た際に、送られてきた画面情報によって確認依頼の優先度を自動的に決定することができる。
【００５５】
以上説明したように、第２の実施形態によれば、前述の第１の実施形態と同様の効果を得ることができる。また、医用情報表示装置３側で確認依頼の優先度を決定することが可能になるため、複数の医用画像撮像装置２にそれぞれ優先度決定部を設けた場合に比べ、システム構成を簡略化することができる。また、医用情報表示装置３では、確認実行の優先度を自動で決定することが可能であり、さらに、ユーザは優先度決定情報を自由に設定することも可能であるため、ユーザの利便性を向上させることができる。
【００５６】
（第３の実施形態）
第３の実施形態について図７乃至図９を参照して説明する。なお、第３の実施形態では、第１の実施形態との相違点について説明し、第１の実施形態で説明した部分と同一部分は同一符号で示し、その説明も省略する。
【００５７】
図７に示すように、第３の実施形態に係る医用画像撮像装置２は、第１の実施形態に係る撮像部２ａ、画像保管部２ｂ、送受信部２ｃ、入力部２ｄ、表示部２ｅ、確認依頼部２ｆ及び優先度決定部２ｇに加え、操作通知部２ｈを備えている。また、第２の実施形態に係る医用情報表示装置３は、第１の実施形態に係る送受信部３ａ、入力部３ｂ、表示部３ｃ及び表示方法制御部３ｄに加え、操作監視部３ｆを備えている。
【００５８】
操作監視部３ｆは、医用情報表示装置３において表示部３ｃにより表示されているウインドウ画面がユーザにより所定時間（例えば、数分から数十分の許容範囲内の時間）操作されていないこと、すなわち未操作（操作未実行）を監視する。この操作監視部３ｆは、未操作を検出すると、送受信部３ａを介して確認依頼元の医用画像撮像装置２に未操作通知（確認操作の未実行の通知）を送信する。
【００５９】
操作通知部２ｈは、送受信部２ｃを介して操作監視部３ｆからの未操作通知を受信すると、その未操作、すなわち確認依頼した画面情報がまだ確認されていないことを操作者（例えば、検査技師）に通知する。例えば、図８に示すように、「画面の確認がされていません」という内容を示すウインドウ画面Ｇ３が他のウインドウ画面上に表示され、確認依頼した画面情報がまだ確認されていないことが操作者に通知される。
【００６０】
ここで、前述の操作監視部３ｆ及び操作通知部２ｈは、第１の実施形態と同じように、電気回路などのハードウエアにより構成されても良く、また、各機能を実行するプログラムなどのソフトウエアにより構成されても良く、あるいは、それらの両方の組合せにより構成されても良い。
【００６１】
次に、前述の医用情報表示システム１が行う医用情報表示処理について説明する。
【００６２】
図９に示すように、複数台のうち確認依頼元の医用画像撮像装置２では、入力部２ｄに対する操作者（例えば、検査技師など）の入力操作に応じて、確認依頼処理が確認依頼部２ｆにより実行される（ステップＳ２１）。まず、その確認依頼処理に対応する確認依頼の優先度が前述の優先度決定部２ｇにより決定される（ステップＳ２２）。その後、確認依頼対象の画面情報及び決定された確認依頼の優先度が送受信部２ｃによりクライアント端末である医用情報表示装置３に送信される（ステップＳ２３）。このようなユーザ（クライアント）に対する確認依頼は、医用画像撮像装置２ごとに必要に応じて行われる。
【００６３】
次に、医用情報表示装置３では、確認依頼元の医用画像撮像装置２から送信された画面情報及び確認依頼の優先度が送受信部３ａにより受信され（ステップＳ２４）、その確認依頼の優先度に基づいて確認対象の画面情報に対する注意をユーザに促すための表示方法が前述の表示方法制御部３ｄにより決定される（ステップＳ２５）。その後、決定された表示方法に基づいた表示部３ｃによる表示によって、ユーザの注意が確認対象の画面情報に向けられる（ステップＳ２６）。
【００６４】
その後、確認対象の画面に対する操作が所定時間内に行われたか否かが前述の操作監視部３ｆにより判断され（ステップＳ２７）、その操作が所定時間内に行われなかったと判断されると（ステップＳ２７のＮＯ）、不操作通知が確認依頼元の医用画像撮像装置２に送信される。一方、前述の操作が所定時間内に行われたと判断されると（ステップＳ２７のＹＥＳ）、処理はステップ２９に進み、ユーザによる確認作業の完了後に、確認完了通知が送信される（ステップＳ２９）。なお、ユーザによる確認作業に応じて、その操作情報（ユーザの入力操作に関する入力情報）は医用情報表示装置３から医用画像撮像装置２に送信される。
【００６５】
次に、確認依頼元の医用画像撮像装置２では、医用情報表示装置３から送信された不操作通知が送受信部２ｃにより受信されると、確認依頼対象の画面に対する不操作が前述の操作通知部２ｈにより操作者に通知される（ステップＳ３０）。このステップＳ３０は不操作通知が受信された場合にのみ実行される。最後に、医用情報表示装置３から送信された確認完了通知が送受信部２ｃにより受信される（ステップＳ３１）。この確認完了通知の受信によって、医用画像撮像装置２は確認作業が完了したことを把握する。なお、医用画像撮像装置２は、医用情報表示装置３から送信された操作情報に基づいて、表示部２ｅにより表示されているウインドウ画面の変更や修正などの処理を自動的に行う。
【００６６】
このような医用画像表示処理によれば、前述の第１の実施形態と同様、各装置Ａ、Ｂ、Ｃ及びＤで発生している状況（種類）、すなわち確認依頼の優先度に応じて、クライアントであるユーザ（例えば、読影医や医師などの遠隔操作者）へ注意を促す表示方法を変更することが可能である。これにより、ユーザは、複数の装置Ａ、Ｂ、Ｃ及びＤから確認依頼があった際に、どの装置のウインドウ画面から確認を行うべきかを容易に判断することができるようになる。また、医用情報表示装置３において、確認対象のウインドウ画面が一定時間経っても操作されていない状態である場合には、そのウインドウ画面が未操作であることを示す未操作通知が確認依頼元の医用画像撮像装置２に送信される。医用画像撮像装置２では、その未操作通知の受信に応じて、その未操作、すなわち確認操作の未実行が操作者に通知される。これにより、操作者は、確認依頼した画面情報がまだ確認されていないことを把握することが可能となる。
【００６７】
以上説明したように、第３の実施形態によれば、前述の第１の実施形態と同様の効果を得ることができる。また、確認依頼元の医用画像撮像装置２を操作する操作者（例えば、検査技師など）は、確認依頼した医用画面に対してユーザ（クライアント）の確認操作（確認作業）が行われたか否か、すなわち確認依頼した画面情報がまだ確認されていないことを容易に把握することが可能になるため、操作者の利便性を向上させることができる。
【００６８】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１      医用情報表示システム
２      医用画像撮像装置
２ｃ    送受信部
２ｈ    操作通知部
３      医用情報表示装置
３ａ    送受信部
３ｃ    表示部
３ｄ    表示方法制御部
３ｅ    優先度決定部
３ｆ    操作監視部
【図１】
2014106668.tif 000003
【図２】
2014106668.tif 000004
【図３】
2014106668.tif 000005
【図４】
2014106668.tif 000006
【図５】
2014106668.tif 000007
【図６】
2014106668.tif 000008
【図７】
2014106668.tif 000009
【図８】
2014106668.tif 000010
【図９】
2014106668.tif 000011